(57)【要約】【課題】  加熱炉のスペースを設けることなく、またレール又はベルトコンベアを敷設することなく、コストを安く、しかも遠赤外線の放射量を多くするようにした暖房設備用熱源供給装置を提供することを目的とする。【解決手段】  室内に設置した熱源供給装置本体１の内部に複数のカーボンヒーター４を並設し、前記カーボンヒーター４を保護カバー６で包囲する。保護カバー６の周囲に所定の間隔をもって安全カバー３を設け、保護カバー６と安全カバー３との間の空間１１に麦飯石等の鉱石１０を多数収納した。【選択図】図１
2009174837.tif 000002
【特許請求の範囲】
【請求項１】
室内に設置した熱源供給装置本体にカーボンヒーターを内蔵するとともに麦飯石等の鉱石を多数収納したことを特徴とする、暖房設備用熱源供給装置。
【請求項２】
請求項１に記載する暖房設備用熱源供給装置において、熱源供給装置本体の内部に複数のカーボンヒーターを並設し、前記カーボンヒーターを保護カバーで包囲するとともに該保護カバーの周囲に所定の間隔をもって安全カバーを設け、前記保護カバーと安全カバーとの間の空間に麦飯石等の鉱石を多数収納することを特徴とする、暖房設備用熱源供給装置。
【請求項３】
請求項１に記載する暖房設備用熱源供給装置において、熱源供給装置本体の下部に複数のカーボンヒーターを内蔵した加熱部を設けるとともに、前記加熱部の上方に麦飯石等の鉱石を多数収納することを特徴とする、暖房設備用熱源供給装置。
【発明の詳細な説明】
【技術分野】
【０００１】  この発明は、麦飯石等の鉱石を熱源とする暖房設備用熱源供給装置に関する。
【背景技術】
【０００２】  健康ランド等の暖房付きリラクゼーションルームやサウナ施設では、暖房設備の一種に炉内で加熱した鉱石を室内に移動して暖めるプル釜装置がある。即ち、図７に示すように麦飯石等の鉱石ａを３ｍ×１ｍ×１ｍ程度の直方体状のトロッコｂに積み上げ、これをリラクゼーションルームｅとは別に設けた加熱炉ｃへ移動し、７００℃〜８００℃まで加熱し、灼熱状態になると自動的にレール又はベルトコンベアｄに載せて室内ｅへ出てくる。利用者はその周りに集まって熱せられた麦飯石等の鉱石ａから放射される遠赤外線を浴びることができ、血流を促進させ、新陳代謝を活発にし、疲労回復・美肌効果があるものである。
【発明の開示】
【発明が解決しようとする課題】
【０００３】  しかしながら、従来のプル釜装置は、トロッコｂに積み上げた麦飯石等の鉱石ａを加熱炉ｃで加熱させるため、加熱炉ｃのスペースを別途必要とするほか、移動させるためのレール又はベルトコンベアｄを敷設する必要があった。また加熱後、所定時間経過したら再びトロッコｂを加熱炉ｃに戻し、再加熱して室内ｅに戻すようにしている。このため利用者が常時使用するためには、二つの加熱炉ｃと２台のトロッコｂを用いて交互に加熱する必要がある。このように施設にレール又はベルトコンベアｄを敷設し、トロッコｂを移動して交互に加熱するためコスト高となっていた。また熱せられた麦飯石等の鉱石ａも放熱によって急激に温度が下がるので、遠赤外線の放射量も少なくなる。【０００４】  本発明は、上記課題に鑑みてなされたものであって、その目的は、加熱炉のスペースを設けることなく、またレール又はベルトコンベアを敷設することなく、コストを安く、しかも遠赤外線の放射量を多くするようにした暖房設備用熱源供給装置を提供することにある。
【課題を解決するための手段】
【０００５】  上記のような目的を達成するために、本発明の暖房設備用熱源供給装置は、室内に設置した熱源供給装置本体にカーボンヒーターを内蔵するとともに麦飯石等の鉱石を多数収納したことを特徴とするものである。【０００６】  また本発明の暖房設備用熱源供給装置は、室内に設置した熱源供給装置本体の内部に複数のカーボンヒーターを並設し、前記カーボンヒーターを保護カバーで包囲するとともに該保護カバーの周囲に所定の間隔をもって安全カバーを設け、前記保護カバーと安全カバーとの間の空間に麦飯石等の鉱石を多数収納することを特徴とするものである。【０００７】  また本発明の暖房設備用熱源供給装置は、室内に設置した熱源供給装置本体の下部に複数のカーボンヒーターを内蔵した加熱部を設けるとともに、前記加熱部の上方に麦飯石等の鉱石を多数収納することを特徴とするものである。
【発明の効果】
【０００８】  上記構成の本発明によれば、以下の効果がある。
＜イ＞熱源供給装置本体にカーボンヒーターを内蔵するとともに麦飯石等の鉱石を多数収納したので、熱源供給装置を加熱炉へ移動させる必要がなく、コストの安い暖房設備用熱源供給装置を提供することができる。
＜ロ＞内蔵したカーボンヒーターにより麦飯石等の鉱石を加熱しているので、常時、麦飯石等の鉱石から一定の遠赤外線が放射され、利用者はこれを浴びることができる。
＜ハ＞内蔵したカーボンヒーターからも遠赤外線が放射されるので、遠赤外線の放射量をより多くした暖房設備用熱源供給装置を提供することができる。
【発明を実施するための最良の形態】
【０００９】  以下、図面を参照しながら、本発明に係る実施の形態について説明する。【００１０】＜イ＞熱源供給装置（図１、図２）
熱源供給装置本体（以下、本体という）１は、基台２と、この基台２に設けられた安全カバー３及び保護カバー６と、カーボンヒーター４と、麦飯石等の鉱石１０とからなる。安全カバー３の内側に、所定の間隔をもって保護カバー６を設けてあり、保護カバー６内にカーボンヒーター４を多数設けている。この保護カバー６と安全カバー３との間にできる空間１１、及び保護カバー６の上面に、麦飯石等の鉱石１０を多数積み上げて収納する。【００１１】  安全カバー３及び保護カバー６は、麦飯石等の鉱石１０が本体１外へ転がり落ちないように保持し、またカーボンヒーター４が破損したりしないようにこれを保護するためのものである。また、カーボンヒーター４の熱が麦飯石等の鉱石１０に効率よく伝わり、麦飯石等の鉱石１０からの遠赤外線が十分に放射されるように、安全カバー３及び保護カバー６は、例えば基台２の上面周囲から熱伝導のよいスチール棒等を立設して構成している（または孔明き鋼板等で構成してもよい）。本体１は、基台２の基礎ボルト２１で床１３に固定されている。【００１２】  なお、基台２に着脱自在に車輪２２を設け、本体１を自由に移動できるようにしてもよい。本体１の大きさは適宜で良いが、本実施例では長さ３４００ミリメートル×奥行き１０００ミリメートル×高さ１０００ミリメートルとなっている。基台２にシロッコファン２０等の送風機を上方に向けて設置して、カーボンヒーター４からの熱が本体１内に万遍なく行き渡るようにしてもよい。【００１３】  麦飯石は、古来より皮膚病・外傷などの治療に用いられた石英斑岩で、麦飯石を熱すると遠赤外線を放射するものである。麦飯石等の鉱石１０へカーボンヒーター４で加熱を行い、一定のマイナスイオンと遠赤外線を引き出し、利用者の血流を促進させ、新陳代謝を活発にし、人体にとって様々な効果をもたらすようになっている。【００１４】＜ロ＞カーボンヒーター（図２、図３、図４）
保護カバー６内には、図３に示すような直方体状の枠体５の周面（底面を除く５面）に多数のカーボンヒーター４が取付けネジ等（図示せず）によって固定されている。カーボンヒーター４の熱が麦飯石等の鉱石１０へ均等に伝わるように、これら多数のカーボンヒーター４は、互いに平行に所定の間隔をもって固定されている。図３に一部拡大して示すようにカーボンヒーター４の枠体５側半周に金粉等を塗布して遮熱部４８を形成し、カーボンヒーター４の熱を、効率よく麦飯石等の鉱石１０に伝達するようにしている。あるいはカーボンヒーター４と枠体５との間に、湾曲した反射板を設けてもよい。【００１５】  カーボンヒーター４の一例を図４に示す。カーボンヒーター４は、コイル状のカーボンコイル体（発熱体）４０と、これを封入する石英ガラス管４１とからなる。カーボンコイル体４０は、例えばポリアクリロニトリルを原料とするＰＡＮ系炭素繊維素線を多数束ねて炭素繊維糸とし、この炭素繊維糸を複数本撚り合わせた後、これをコイル状に巻き上げて構成したものである。コイル状に形成したカーボンコイル体４０の両端には、固定端子４４、内部リード線４５、モリブデン箔４６、外部リード線４７からなる端子部４３，４３が設けられている。カーボンコイル体４を石英ガラス管４１に挿入し、端子部４３，４３で封止４２してカーボンヒーター４が構成される。端子部４３，４３に導通することでカーボンコイル体４０が発熱する。
なお、カーボンヒーター４の発熱体は、カーボンコイル体に限らず直線状のカーボン体、あるいは糸状でなくフェルト状や固形のカーボン体であってもよい。【００１６】＜ハ＞リラクゼーションルーム、サウナ施設
本発明の熱源供給装置本体１を設置したリラクゼーションルームやサウナ施設を図６に示す。室内１２の適当な場所に熱源供給装置本体１を設置することができ、従来のように加熱炉を別途設ける必要がなく、またレールやコンベアを敷設する必要がない。【００１７】＜ニ＞作用【００１８】  電源を入れてカーボンヒーター４に通電することによりカーボンコイル体４０が発熱し、麦飯石等の鉱石１０を加熱していく。麦飯石等の鉱石１０が加熱されることで、麦飯石等の鉱石１０より遠赤外線が放射され、また運転しているカーボンヒーター４からも遠赤外線が放射される。カーボンヒーター４の設定温度を調節することで、麦飯石等の鉱石１０からは常時遠赤外線が放射され、これまでのように麦飯石等の鉱石１０の放熱による急激な温度低下で、遠赤外線の放射量が少なくなるなどの問題はない。これらの遠赤外線が作用して、ゆっくり時間をかけて発汗することができ、体を芯から温める役目をすると同時に体のツボに作用して発汗作用を促すのに好適である。このように本発明は、内蔵したカーボンヒーター４により麦飯石等の鉱石１０を加熱しているので、常時麦飯石等の鉱石１０から一定の遠赤外線が放射され、血流を促進させ、新陳代謝を活発にし、体を芯から暖めることができるものである。【００１９】＜ホ＞他の実施例その１
本発明の他の例を図５（Ａ）に示す。本例は、カーボンヒーター４を半円筒状の枠体５の半円外周面に沿って所定の間隔で並設している。このようにカーボンヒーター４を並設した枠体５を基台２に設置し、さらにカーボンヒーター４の外側を熱伝導のよい保護カバー６で包囲している。保護カバー６の上面であって安全カバー３の内側にできる空間１１に、麦飯石等の鉱石１０を多数積み上げて収納し、本体１を構成している。なお安全カバー３及び保護カバー６は、前記した実施例と同様に麦飯石等の鉱石１０が本体１外へ転がり落ちないように保持し、またカーボンヒーター４が破損したりしないようにこれを保護する。【００２０】＜ヘ＞他の実施例その２
本発明のさらに他の例を図５（Ｂ）に示す。本例は、本体１の下部に複数のカーボンヒーター４を内蔵した加熱部７を設けるとともに、加熱部７の上方に麦飯石等の鉱石１０を多数収納したものである。加熱部７は、例えば基台２上に設けた枠体５に多数のカーボンヒーター４を取り付けて構成することができる（図３参照）。加熱部７の上面は前記した保護カバー６で覆うか、熱伝導のよい材質（孔明き鋼板など）で構成する。加熱部７の上面であって安全カバー３の内側にできる空間１１に、麦飯石等の鉱石１０を多数積み上げて収納し、本体１を構成している。
【図面の簡単な説明】
【００２１】
【図１】熱源供給装置本体を示す概略斜視図。
【図２】熱源供給装置本体の正面図。
【図３】カーボンヒーターの取付け状態を示す概略斜視図。
【図４】カーボンヒーターの一例を示す概略図。
【図５】熱源供給装置本体の他の実施例を示す概略図。
【図６】本発明の熱源供給装置を設置したリラクゼーションルームを示す概略平面図。
【図７】従来のリラクゼーションルームを示す概略図。
【符号の説明】
【００２２】１・・・・熱源供給装置本体（本体）
２・・・・基台
３・・・・安全カバー
４・・・・カーボンヒーター
４０・・・カーボンコイル体
４１・・・石英ガラス管
４３・・・端子部
５・・・・枠体
６・・・・保護カバー
７・・・・加熱部
１０・・・麦飯石等の鉱石
１１・・・空間
１２・・・リラクゼーションルーム
１３・・・床
【図１】
2009174837.tif 000003
【図２】
2009174837.tif 000004
【図３】
2009174837.tif 000005
【図４】
2009174837.tif 000006
【図５】
2009174837.tif 000007
【図６】
2009174837.tif 000008
【図７】
2009174837.tif 000009